(57)【要約】【課題】  副針などの指示部材と目盛枠との間に工具を挿入するための隙間がなくても、指示部材を簡単に取り外すことができる指示装置およびそれを備えた指針時計を提供する。【解決手段】  第２副針指示部８が、第２目盛枠１３の中心部に回転自在に設けられた指示軸３４と、この指示軸３４に着脱可能に取り付けられて指示軸３４から取り外す際の引掛け部３７を有する指示取付部材３６と、この指示取付部材３６によって指示軸３４に対して取り付けられた指示円板３５とを備えている。従って、指示円板３５を取り外す際に、指示取付部材３６の引掛け部３７に工具を引掛けて指示円板３５を指示軸３４から取り外すことができる。このため、指示部円板３５が第２目盛枠１３の内周に接近して、指示円板３５の外周部と第２目盛枠１３の内周部との間に工具が挿入するための隙間がなくても、指示円板３５を指示軸３４から簡単に取り外すことができる。【選択図】        図２
2010145100.tif 000002
【特許請求の範囲】
【請求項１】
周囲に目盛が表示された目盛枠と、
この目盛枠の中心部に回転自在に設けられた指示軸と、
この指示軸に着脱可能に取り付けられ、且つ前記指示軸から取り外す際の引掛け部が設けられた指示取付部材と、
この指示取付部材によって前記指示軸に対して取り付けられた指示部材と
を備えていることを特徴とする指示装置。
【請求項２】
前記指示取付部材は、その上部に設けられた前記引掛け部と、この引掛け部の下側に設けられて前記指示部材が取り付けられる指示取付部と、この指示取付部の下側に設けられて前記指示軸に着脱可能に取り付けられる軸取付部とを有していることを特徴とする請求項１に記載の指示装置。
【請求項３】
前記目盛枠は円形のリング状に形成されており、前記指示部材は、前記目盛枠の内周に接近して回転する円形または楕円形の平板状に形成されていることを特徴とする請求項１または請求項２に記載の指示装置。
【請求項４】
前記目盛枠は円形のリング状に形成されており、前記指示部材は、前記目盛枠の内周に複数の角部が接近して回転する四角形、五角形、星形などの多角形の平板状に形成されていることを特徴とする請求項１または請求項２に記載の指示装置。
【請求項５】
上文字板と下文字板とを有する文字板と、前記上文字板の上方を運針する指針とを備え、前記上文字板と前記下文字板との間に、請求項１に記載された前記目盛枠および前記指示部材を設けたことを特徴とする指針時計。
【発明の詳細な説明】
【技術分野】
【０００１】
この発明は、指示部材が目盛を指示する指示装置およびそれを備えた指針時計に関する。
【背景技術】
【０００２】
従来、指針式の腕時計においては、特許文献１に記載されているように、文字板が上文字板と下文字板とを備え、この文字板における下文字板の上面に時刻指示領域および複数の副指示領域が設けられ、この下文字板上に配置される上文字板に円形状の開口部が時刻指示領域および複数の副指示領域にそれぞれ対応して設けられ、この上文字板と下字板とが重なり合って貼り合わされた状態で、指針が上文字板の上方を運針すると共に、複数の副針が各指示領域に対応して運針するように構成されたものが知られている。
【特許文献１】ＷＯ９９／１８４７９
【発明の開示】
【発明が解決しようとする課題】
【０００３】
しかしながら、このような従来の指針式の腕時計では、副指示領域に対応して運針する副針が、上文字板に設けられた円形の開口部の縁に接近して回転する円板状に形成されていると、この円板状の副針を取り外す際、上文字板に設けられた円形の開口部の縁と円板状の副針の外周部との間に工具を挿入するための隙間がないため、上文字板を取り外さなければ、円板状の副針を取り外すことができず、このため円板状の副針を取り外す際の分解作業が面倒であるという問題がある。
【０００４】
この発明が解決しようとする課題は、副針などの指示部材と目盛枠との間に工具を挿入するための隙間がなくても、指示部材を簡単に取り外すことができる指示装置およびそれを備えた指針時計を提供することである。
【課題を解決するための手段】
【０００５】
この発明は、上記課題を解決するために、次のような構成要素を備えている。
請求項１に記載の発明は、周囲に目盛が表示された目盛枠と、この目盛枠の中心部に回転自在に設けられた指示軸と、この指示軸に着脱可能に取り付けられ、且つ前記指示軸から取り外す際の引掛け部が設けられた指示取付部材と、この指示取付部材によって前記指示軸に対して取り付けられた指示部材とを備えていることを特徴とする指示装置である。
【０００６】
請求項２に記載の発明は、前記指示取付部材が、その上部に設けられた前記引掛け部と、この引掛け部の下側に設けられて前記指示部材が取り付けられる指示取付部と、この指示取付部の下側に設けられて前記指示軸に着脱可能に取り付けられる軸取付部とを有していることを特徴とする請求項１に記載の指示装置である。
【０００７】
請求項３に記載の発明は、前記目盛枠が円形のリング状に形成されており、前記指示部材は、前記目盛枠の内周に接近して回転する円形または楕円形の平板状に形成されていることを特徴とする請求項１または請求項２に記載の指示装置である。
【０００８】
請求項４に記載の発明は、前記目盛枠が円形のリング状に形成されており、前記指示部材は、前記目盛枠の内周に複数の角部が接近して回転する四角形、五角形、星形などの多角形の平板状に形成されていることを特徴とする請求項１または請求項２に記載の指示装置である。
【０００９】
請求項５に記載の発明は、上文字板と下文字板とを有する文字板と、前記上文字板の上方を運針する指針とを備え、前記上文字板と前記下文字板との間に、請求項１に記載された前記目盛枠および前記指示部材を設けたことを特徴とする指針時計である。
【発明の効果】
【００１０】
この発明によれば、指示軸に対して取り付けられた指示部材を指示軸から取り外す際に、指示取付部材の引掛け部に工具を引掛けて指示取付部材を指示軸から取り外すことにより、指示部材を指示軸から取り外すことができる。このため、指示部材の外周部が目盛枠の内周に接近して指示部材と目盛枠との間に工具が挿入するための隙間がなくても、指示部材を指示軸から簡単に取り外すことができる。
【発明を実施するための最良の形態】
【００１１】
以下、図１〜図８を参照して、この発明を指針式の腕時計に適用した一実施形態について説明する。
この指針式の腕時計は、図１に示すように、機器本体となる腕時計ケース１を備えている。この腕時計ケース１の上部には時計ガラス２が取り付けられており、この腕時計ケース１の下面には裏蓋（図示せず）が取り付けられている。また、この腕時計ケース１の内部には、図２に示すように、時計モジュール３が設けられている。
【００１２】
時計モジュール３は、図１〜図３に示すように、文字板４、ソーラーパネル５、時刻を指示する指針指示部６、第１〜第３の各副針指示部７〜９、および時計ムーブメントＴＭを備えている。文字板４は、図２〜図４に示すように、上文字板１０と、この上文字板１０の下側に配置される下文字板１１と、この下文字板１１と上文字板１０との間にそれぞれ配置される第１〜第３の各目盛枠１２〜１４とを備えている。
【００１３】
この場合、上文字板１０は、ポリカーボネ―ト（ＰＣ）やアクリル（ＰＭＭＡ）などの透明または半透明の合成樹脂からなり、全体がほぼ円形の平板状に形成されている。この上文字板１０のほぼ中心部には、図２および図４に示すように、軸挿入孔１５が表裏（図２では上下）に貫通して設けられており、この上文字板１０の所定箇所、つまり６時側、２時側、１０時側の３箇所には、図３および図４に示すように、第１〜第３の各副針指示部７〜９に対応する第１〜第３の各開口部１６〜１８が表裏（図２では上下）に貫通して設けられている。
【００１４】
すなわち、第１開口部１６は、図３および図４に示すように、上文字板１０の６時側に円形状に設けられている。第２開口部１７は、上文字板１０の２時側に円形状に設けられている。第３開口部１８は、上文字板１０の１０時側にほぼ１８０°に開いたほぼ半円形の扇形状に設けられている。さらに、この上文字板１０の５時側には、四角形状の表示孔１９が表裏に貫通して設けられている。
【００１５】
また、下文字板１１は、上文字板１０と同様、ポリカーボネ―ト（ＰＣ）やアクリル（ＰＭＭＡ）などの透明または半透明の合成樹脂からなり、図３および図４に示すように、その外形が上文字板１０とほぼ同じ大きさの円形の平板状に形成されている。この下文字板１１は、図２および図３に示すように、その上側に上文字板１０が重なって配置されるように構成されている。
【００１６】
この場合にも、下文字板１１のほぼ中心部には、図２および図４に示すように、軸挿入孔２０が上文字板１０の軸挿入孔１５に対応して設けられている。この下文字板１１における上文字板１０の第１〜第３の各開口部１６〜１８における各中心部に対応する箇所には、図４に示すように、第１〜第３貫通孔２１〜２３が設けられている。さらに、この下文字板１１にも、四角形状の表示孔２４が上文字板１０の表示孔１９に対応して設けられている。
【００１７】
第１〜第３の各目盛枠１２〜１４は、それぞれ黄銅（Ｂｓ）などの銅合金や、アルミニウム（Ａｌ）などの金属からなり、図１〜図４に示すように、上文字板１０と下文字板１１との間における上文字板１０の第１〜第３の各開口部１６〜１８にそれぞれ対応する位置に設けられている。
【００１８】
すなわち、第１目盛枠１２は、図１〜図４に示すように、上文字板１０の６時側に位置する第１開口部１６に対応する円形のリング状に形成されている。この第１目盛枠１２の上面には、図４に示すように、第１開口部１６の内周縁に密着する突部１２ａが上文字板１０の厚みとほぼ同じ高さで、第１開口部１６の内周縁に沿って環状に設けられている。また、この第１目盛枠１２の内周面は、図４に示すように、テーパ面１２ｂに形成されている。
【００１９】
また、第２目盛枠１３は、図２〜図４に示すように、上文字板１０の２時側に位置する第２開口部１７に対応する円形のリング状に形成されている。この第２目盛枠１３の上面には、図２に示すように、第２開口部１７の内周縁に密着する突部１３ａが上文字板１０の厚みとほぼ同じ高さで、第２開口部１７の内周縁に沿って環状に設けられている。また、この第２目盛枠１３の内周面も、図２および図４に示すように、テーパ面１３ｂに形成されている。
【００２０】
第３目盛枠１４は、図３および図４に示すように、上文字板１０の１０時側に位置する第３開口部１８に対応する円形のリング状に形成されている。この第３目盛枠１４は、図４に示すように、１８０°に開いた第３開口部１８におけるほぼ半円形の扇形状の要１８ａの部分を中心する円形状に形成されている。
【００２１】
この第３目盛枠１４の上面には、図４に示すように、第３開口部１８の内周縁に密着する突部１４ａが上文字板１０の厚みとほぼ同じ高さで、第３開口部１８の内周縁のみに沿って円弧状に設けられている。この突部１４ａは、第３開口部１８に対応する１８０°の範囲内のみに設けられており、この第３目盛枠１４の内周面も、図４に示すように、テーパ面１４ｂに形成されている。
【００２２】
また、ソーラーパネル５は、図２および図４に示すように、上文字板１０および下文字板１１を透過した外部光を受光して起電力を発生するものであり、下文字板１１とほぼ同じ大きさの円形の平板状に形成され、下文字板１１の下面に重なり合って配置されている。この場合、ソーラーパネル５にも、図４に示すように、下文字板１１の軸挿入孔２０に対応する軸挿入孔２５、下文字板１１の第１〜第３貫通孔２１〜２３に対応する第１〜第３貫通孔２６〜２８、下文字板１１の表示孔２４に対応する四角形状の表示孔２９がそれぞれ設けられている。
【００２３】
一方、指針指示部６は、図１〜図４に示すように、時刻を指示する部分であり、図２および図３に示すように、時計ムーブメントＴＭの指針軸３０がソーラーパネル５、下文字板１１、上文字板１０の各軸挿入孔２５、２０、１５に下側から挿入して上文字板１０の上方に突出し、この突出した部分に秒針３１ａ、分針３１ｂ、時針３１ｃの各指針３１が取り付けられ、この指針３１が図２および図３に示すように文字板４における上文字板１０の上方を運針して時刻を指示するように構成されている。
【００２４】
また、第１〜第３の各副針指示部７〜９のうち、第１副針指示部７は、図１、図３、図４に示すように、副針部材である小秒針３２が運針する部分であり、時計ムーブメントＴＭの副秒針軸３３がソーラーパネル５、下文字板１１の各第１貫通孔２６、２１に下側から挿入して第１目盛枠１２内に突出し、この突出した部分に小秒針３２が取り付けられ、この小秒針３２が図１および図３に示すように第１目盛枠１２内で運針するように構成されている。
【００２５】
第２副針指示部８は、図６に示すように、モードや曜日、１／２０秒の秒時間などの複数の機能を表す部分であり、図２に示すように、時計ムーブメントＴＭの指示軸３４がソーラーパネル５、下文字板１１の各第２貫通孔２７、２２に下側から挿入して第２目盛枠１３内に突出し、この指示軸３４の突出した部分に副針部材である指示円板３５が指示取付部材３６によって取り付けられ、この指示円板３５が第２目盛枠１３内で回転するように構成されている。
【００２６】
この場合、指示取付部材３６は、図２および図５に示すように、指示円板３５を取り外す際の引掛け部３７と、指示円板３５が取り付けられる指示取付部３８と、指示軸３４の上端部に着脱可能に取り付けられる軸取付部３９とを有している。すなわち、引掛け部３７は、図２および図５に示すように、指示取付部材３６の上部に設けられて、その外周面に工具を引っ掛けやすくするためのＶ字形状の溝部３７ａが形成されている。
【００２７】
また、指示取付部３８は、図５に示すように、引掛け部３７の下側に設けられたほぼ円筒状の部分であり、指示円板３５の中心部に設けられた貫通孔３５ａが嵌合して指示円板３５の上面が引掛け部３７の下面に当接することにより、指示円板３５が上方に抜けないように構成されている。軸取付部３９は、指示取付部３８の下側に設けられた筒状部であり、その内部に指示軸３４の上端部が下側から挿入することにより、指示軸３４の上端部に着脱可能に取り付けられるように構成されている。
【００２８】
この場合、第２目盛枠１３は、図６および図７に示すように、そのテーパ面１３ｂに、アラーム（ＡＬ）、サマータイム設定（ＤＳＴ）、サマータイム解除（ＳＴＤ）、タイマー（ＴＲ）などの各種のモード、および日曜日（ＳＵ）〜土曜日（ＳＡ）の各曜日、並びに１／２０秒の秒時間を指示する秒指示マーク４０が表示されている。
【００２９】
また、指示円板３５は、図６および図８に示すように、その上面の所定箇所（図６では１２時位置）に各種のモードおよび曜日のいずれかを指示するための針形状の機能指示マーク４１が表示されていると共に、指示円板３５の円周に沿って０〜９の秒目盛が表示されている。この場合、秒目盛の０秒位置の目盛は、機能指示マーク４１に対応している。
【００３０】
これにより、この第２副針指示部８は、スイッチ操作によってモードや曜日、または１／２０秒の秒時間などの各機能のうち、いずれかの機能が選択されると、その選択された機能に応じて指示円板３５が回転することにより、選択された機能を指示するように構成されている。例えば、スイッチ操作によって１／２０秒の秒時間を表す機能が選択された場合には、指示円板３５が回転しながら０〜９の秒目盛のいずれかの目盛が目盛枠１３の秒指示マーク４０で指示されることにより、１／２０秒の秒時間が分かる。
【００３１】
また、スイッチ操作によってモードおよび曜日の機能が選択された場合には、その選択された機能に応じて指示円板３５が回転して停止することにより、例えば機能指示マーク４１が目盛枠１３に表示されたモードおよび曜日の各機能表示のいずれかを指示し、これにより選択されている機能が分かる。
【００３２】
一方、第３副針指示部９は、午前（ＡＭ）／午後（ＰＭ）、または２４時間表示を示すための部分であり、図１および図３に示すように、時計ムーブメントＴＭの副針軸４３がソーラーパネル５、下文字板１１の各第３貫通孔２８、２３に下側から挿入して第３目盛枠１４内に突出し、この突出した部分に副針部材である副針４４が第３目盛枠１４内で運針可能に取り付けられ、この副針４４の両端部側が交互に第３開口部１８に対応して外部に露出するように構成されている。
【００３３】
この場合、副針４４は、回転中心である副針軸４３からの長さが一端部側と他端部側とで異なっている。すなわち、この副針４４は、回転中心である副針軸４３からの長さの長い一端部側である長針部が、第３開口部１８に対応して運針する際に、第３目盛枠１４のテーパ面１４ｂの上部側を指示することにより、午前を示す。
【００３４】
また、この副針４４は、副針軸４３からの長さの短い他端部側である短針部が第３開口部１８に対応して運針する際に、第３目盛枠１４のテーパ面１４ｂの下部側を指示することにより、午後を示す。なお、上文字板１０の表示孔１９、下文字板１１の表示孔２４、およびソーラーパネル５の表示孔２９は、図示しないが、日車や表示素子に表示された曜日、日、月などの日付情報が表示されるように構成されている。
【００３５】
このように、この指針式の腕時計によれば、所定箇所に第１〜第３の各開口部１６〜１８が設けられて指針３１が上方を運針する上文字板１０と、この上文字板１０の下側に配置される下文字板１１と上文字板１０との間における上文字板１０の第１〜第３の各開口部１６〜１８に対応する位置にそれぞれ設けられた第１〜第３の各目盛枠１２〜１４と、この第１〜第３の各目盛枠１２〜１４内にそれぞれ運針可能に設けられた副針部材である小秒針３２、指示円板３５、副針４４とを備えているので、立体感のあるものを得ることができる。
【００３６】
すなわち、この指針式の腕時計によれば、図２および図３に示すように、指針３１が上文字板１０の上方を運針すると共に、副針部材である小秒針３２、指示円板３５、副針４４が下文字板１１と上文字板１０との間で且つ上文字板１０の第１〜第３の各開口部１６〜１８に対応する位置に設けられた第１〜第３の各目盛枠１２〜１４内をそれぞれ運針するので、指針３１と副針部材である小秒針３２、指示円板３５、副針４４とに十分な高低差を与えることができ、これにより立体感を大幅に向上させることができる。
【００３７】
この場合、文字板４における上文字板１０に設けられた第１〜第３の各開口部１６〜１８のうち、第１開口部１６は、円形状に形成され、これに伴って第１目盛枠１２が円形のリング状に形成されていることにより、上文字板１０に対し下文字板１１を深く落とし込むことができる。また、第１目盛枠１２の突部１２ａが第１開口部１６の開口縁に密着していると共に、第１目盛枠１２の内周面がテーパ面１２ｂに形成されているので、外観的にもデザイン的にも、好ましいものを得ることができる。
【００３８】
また、上文字板１０の第２開口部１７は、第１開口部１６と同様、円形状に形成され、これに伴って第２目盛枠１３が円形のリング状に形成されていることにより、上文字板１０に対し下文字板１１を深く落とし込むことができる。この場合にも、第２目盛枠１３の突部１３ａが第２開口部１７の開口縁に密着していると共に、第２目盛枠１３の内周面がテーパ面１３ｂに形成されているので、外観的にもデザイン的にも、好ましいものを得ることができる。
【００３９】
さらに、上文字板１０の第３開口部１８は、ほぼ１８０°に開いたほぼ半円形の扇形状に形成され、これに伴って第３目盛枠１４は、第３開口部１８における扇形状の要１８ａの部分を中心する円形のリング状に形成されているが、この第３目盛枠１４は、第３開口部１８に対応する部分のみが半円形の扇形状に外部に露出することにより、外観的にもデザイン的にも好ましいほか、上文字板１０に対し下文字板１１を深く落とし込むことができる。この場合にも、第３目盛枠１４の突部１４ａが第３開口部１８の開口縁に密着していると共に、第３目盛枠１４の内周面がテーパ面１４ｂに形成されているので、これによっても外観的にもデザイン的にも、好ましいものを得ることができる。
【００４０】
一方、この指針式の腕時計によれば、第１〜第３の各副針指示部７〜９のうち、第１副針指示部７は、副針部材である小秒針３２が第１目盛枠１２内で運針することにより、指針３１に対して小秒針３２を低い位置で運針させることができると共に、指針３１の秒針３１ａのほかに、小秒針３２によっても秒時刻を知ることができる。このため、例えば小秒針３２をストップウオッチの秒測定として使用することができる。また逆に、小秒針３２で現在時刻の秒時刻を指示させることにより、指針３１の秒針３１ａをストップウオッチの秒測定として使用することもできる。
【００４１】
また、第２副針指示部８は、副針部材である指示円板３５が第２目盛枠１３内で回転することにより、指針３１に対して指示円板３５を低い位置で運針させることができると共に、この指示円板３５が第２開口部１７に対応して外部に露出することにより、モードや曜日、または１／２０秒の秒時間など、周期性のある情報を分かり易く且つ良好に示すことができる。
【００４２】
さらに、第３副針指示部９は、副針部材として、回転中心である副針軸４３からの長さが一端部側と他端部側とで異なる副針４４を備え、この副針４４が第３目盛枠１４内で運針することにより、指針３１に対して副針４４を低い位置で運針させることができると共に、この副針４４の両端部側が交互に第３開口部１８に対応して外部に露出することにより、午前（ＡＭ）／午後（ＰＭ）、または２４時間表示を分かり易く且つ良好に示すことができる。
【００４３】
すなわち、この副針４４は、一端部側である長針部が第３開口部１８に対応して運針する際、第３目盛枠１４のテーパ面１４ｂの上部側を指示することにより、例えば午前（ＡＭ）を分かり易く示すことができ、また他端部側である短針部が第３開口部１８に対応して運針する際、第３目盛枠１４のテーパ面１４ｂの下部側を指示することにより、例えば午後（ＰＭ）を分かり易く示すことができる。
【００４４】
ところで、この指針式の腕時計によれば、第２副針指示部８が、第２目盛枠１３の中心部に回転自在に設けられた指示軸３４と、この指示軸３４に着脱可能に取り付けられて指示軸３４から取り外す際の引掛け部３７を有する指示取付部材３６と、この指示取付部材３６によって指示軸３４に対して取り付けられた指示円板３５とを備えているので、指示円板３５の外周部が第２目盛枠１３の内周に接近した状態で、指示円板３５が第２目盛枠１３によって囲われていても、指示円板３５を指示軸３４から簡単に取り外すことができる。
【００４５】
すなわち、この第２副針指示部８は、指示軸３４に対して取り付けられた指示円板３５を指示軸３４から取り外す際に、指示取付部材３６の引掛け部３７に工具を引掛けて指示取付部材３６を指示軸３４から取り外すことにより、指示円板３５を指示軸３４から取り外すことができる。このため、指示部円板３５が第２目盛枠１３の内周に接近して、指示円板３５の外周部と第２目盛枠１３の内周部との間に工具が挿入するための隙間がなくても、指示円板３５を指示軸３４から簡単に取り外すことができる。
【００４６】
これにより、指示円板３５を容易に交換することができると共に、指示円板３５を破損せずに取り外すことができるので、例えば指示円板３５が金属で、文字板４が合成樹脂で、第２目盛枠１３が金属で、各部品ごとに素材が異なっている場合、各部品を分解して素材ごとに分類することにより、各部品を資源として再利用することができるので、環境上、好ましいものを提供することができる。
【００４７】
この場合、指示取付部材３６は、その上部に設けられた引掛け部３７と、この引掛け部３７の下側に設けられて指示円板３５が取り付けられる指示取付部３８と、この指示取付部３８の下側に設けられて指示軸３４に着脱可能に取り付けられる軸取付部３９とを有しているので、指示軸３４に対する指示円板３５の着脱作業性が良い。
【００４８】
すなわち、指示円板３５を指示軸３４に対して取り付ける際には、指示取付部３８に指示円板３５を取り付け、この状態で軸取付部３９を指示軸３４に取り付けることにより、指示円板３５を簡単に指示軸３４に対して取り付けることができる。また、指示円板３５を指示軸３４に対して取り外す際には、指示円板３５の上側に位置する引掛け部３７に工具を引掛けて引き上げることにより、軸取付部３９を指示軸３４から取り外すことができるので、文字板４の上文字板１０を取り外さなくても、指示円板３５を簡単に指示取付部３８から取り外すことができる。
【００４９】
なお、前記実施形態では、指示取付部材３６の上部に設けられた引掛け部３７がその外周に断面Ｖ字形の溝部３７ａを形成した構成である場合について述べたが、これに限らず、例えば図９に示す第１変形例、または図１０に示す第２変形例のように構成しても良い。
【００５０】
すなわち、図９に示された第１変形例の指示取付部材５０は、全体がほぼ円筒形状をなし、その上部に円形の平板部５１とこの平板部５１の下に所定間隔離して形成された鍔部５２とによって引掛け部５３を形成し、この引掛け部５３の鍔部５２の下に指示円板３５が取り付けられる円筒状の指示取付部５４を設け、この指示取付部５４の下側に指示軸３４に着脱可能に取り付けられる円筒状の軸取付部５５を設けた構成である。
【００５１】
このような指示取付部材５０においても、前記実施形態と同様、指示軸３４に対する指示円板３５の着脱作業性が良く、指示円板３５を容易に取り外すことができる。すなわち、指示円板３５を指示軸３４に対して取り外す際には、指示円板３５の上側に位置する引掛け部５３に工具を引掛けて引き上げることにより、軸取付部５５を指示軸３４から取り外すことができるので、文字板４の上文字板１０を取り外さなくても、指示円板３５を簡単に指示取付部５４から取り外すことができる。
【００５２】
また、図１０に示された第２変形例の指示取付部材５６は、全体がほぼ円筒形状をなし、その上部に球状部５７とこの球状部５７の下に形成された鍔部５８とによって引掛け部５９を形成し、この引掛け部５９の鍔部５８の下に指示円板３５が取り付けられる円筒状の指示取付部６０を設け、この指示取付部６０の下側に指示軸３４に着脱可能に取り付けられる円筒状の軸取付部６１を設けた構成である。
【００５３】
このような指示取付部材５６においても、前記実施形態と同様、指示軸３４に対する指示円板３５の着脱作業性が良く、指示円板３５を容易に取り外すことができる。すなわち、指示円板３５を指示軸３４に対して取り外す際には、指示円板３５の上側に位置する引掛け部５９の球状部５７に工具を引掛けて引き上げることにより、軸取付部６１を指示軸３４から取り外すことができるので、文字板４の上文字板１０を取り外さなくても、指示円板３５を簡単に指示取付部５４から取り外すことができる。
【００５４】
また、前記実施形態では、指示部材が第２目盛枠１３の内周面に接近して回転する円形状の指示円板３５に形成されている場合について述べたが、必ずしも円形状である必要はなく、楕円形状であっても良い。また、図１１に示す変形例のように、四角形の指示平板６２であっても良い。この場合には、指示平板６２の４つの角部６２ａのうち、いずれか１つの角部６２ａに機能指示マーク６２ｂを設けると共に、各角部６２ａが第２目盛枠１３の内周面に接近した状態で、指示平板６２が回転するように構成すれば良い。また、指示平板６２は、四角形に限らず、三角形、五角形、菱形、台形、星形などの多角形状に形成されていても良い。
【００５５】
さらに、前記実施形態およびその各変形例では、指針式の腕時計に適用した場合について述べたが、必ずしも指針式の腕時計である必要はなく、トラベルウオッチ、目覚まし時計、置き時計、掛け時計などの各種の指針式の時計に適用することができるほか、時計に限らず、メータなどの各種の計器類を含む指示装置にも広く適用することができる。
【図面の簡単な説明】
【００５６】
【図１】この発明を適用した腕時計の実施形態１における正面図である。
【図２】図１のＡ−Ａ矢視における要部の拡大断面図である。
【図３】図２の時計モジュールを示した分解斜視図である。
【図４】図３の文字板を示した分解斜視図である。
【図５】図２の指示取付部材を示した拡大断面図である。
【図６】図１の第２副針指示部を示した拡大正面図である。
【図７】図６の第２目盛枠を示した拡大正面図である。
【図８】図６の指示円板を示した拡大正面図である。
【図９】この実施形態の指示取付部材の第１変形例を示した拡大断面図である。
【図１０】この実施形態の指示取付部材の第２変形例を示した拡大断面図である。
【図１１】この実施形態の指示円板に代えて四角形の指示平板を用いた変形例を示した図である。
【符号の説明】
【００５７】
１  腕時計ケース
３  時計モジュール
４  文字板
６  指針指示部
７〜９  第１〜第３副針指示部
１０  上文字板
１１  下文字板
１２〜１４  第１〜第３目盛枠
１６〜１８  第１〜第３開口部
３１  指針
３４  指示軸
３５  指示円板
３６、５０、５６  指示取付部材
３７、５３、５９  引掛け部
３８、５４、６０  指示取付部
３９、５５、６１  軸取付部
６２  指示平板
６２ａ  角部
【図１】
2010145100.tif 000003
【図２】
2010145100.tif 000004
【図３】
2010145100.tif 000005
【図４】
2010145100.tif 000006
【図５】
2010145100.tif 000007
【図６】
2010145100.tif 000008
【図７】
2010145100.tif 000009
【図８】
2010145100.tif 000010
【図９】
2010145100.tif 000011
【図１０】
2010145100.tif 000012
【図１１】
2010145100.tif 000013